【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
入力された複数チャンネルの音響信号に基づいて聴取者の前方左右に配置された２つのスピーカを拡声させ、複数の前記聴取者の聴取位置は、前記２つのスピーカと対向して並んで配置され、前記２つのスピーカからの距離が等しい位置から一方の前記スピーカにより近い位置に配置される前記聴取位置と他方の前記スピーカにより近い位置に配置される前記聴取位置を少なくとも一つずつ含んで構成され、複数の前記聴取者に対して音像を側方に定位させる音像定位処理装置であって、
一の前記聴取者の聴取位置に対して一方向から聴取させる音響信号の位相、および前記一の聴取者の聴取位置に対して他の一方向から聴取させる音響信号の位相、を制御して当該一の聴取者の側方に音像を定位させる信号処理手段と、
信号処理された音響信号および信号処理されていない音響信号を所定の周波数帯域毎に分割する帯域分割手段と、
前記分割された周波数帯域毎に前記各聴取者を割当て、他の前記聴取者の聴取位置に対して前記信号処理された前記音響信号の時間遅延を制御して当該他の聴取者の側方に音像を定位させる信号補正手段と、
を具備し、
前記帯域分割手段により分割される周波数帯域は、少なくとも低域、高域に分割され、
前記信号補正手段は、前記低域において、何れかのスピーカにおいて位相制御された音響信号を出力する場合には当該スピーカが出力する位相制御された音響信号に対応するチャンネルの音響信号に対して当該スピーカまでの距離がより遠い方の前記聴取位置に側方定位効果が与えられるように前記音響信号の時間遅延を制御し、前記高域において、何れかのスピーカにおいて位相制御された音響信号を出力する場合には当該スピーカが出力する位相制御された音響信号に対応するチャンネルの音響信号に対して当該スピーカまでの距離がより近い方の前記聴取位置に側方定位効果が与えられるように前記音響信号の時間遅延を制御することを特徴とする音像定位処理装置。
【請求項２】
入力された複数チャンネルの音響信号に基づいて聴取者の前方左右に配置された２つのスピーカを拡声させ、複数の前記聴取者の聴取位置は、前記２つのスピーカと対向して並んで配置され、前記２つのスピーカからの距離が等しい位置から一方の前記スピーカにより近い位置に配置される前記聴取位置を少なくとも二つ含んで構成され、複数の前記聴取者に対して音像を側方に定位させる音像定位処理装置であって、
一の前記聴取者の聴取位置に対して一方向から聴取させる音響信号の位相、および前記一の聴取者の聴取位置に対して他の一方向から聴取させる音響信号の位相、を制御して当該一の聴取者の側方に音像を定位させる信号処理手段と、
信号処理された音響信号および信号処理されていない音響信号を所定の周波数帯域毎に分割する帯域分割手段と、
前記分割された周波数帯域毎に前記各聴取者を割当て、他の前記聴取者の聴取位置に対して前記信号処理された前記音響信号の時間遅延を制御して当該他の聴取者の側方に音像を定位させる信号補正手段と、
を具備し、
前記帯域分割手段により分割される周波数帯域は、少なくとも低域、高域に分割され、
前記信号補正手段は、前記低域において、前記２つのスピーカまでの距離が等しい位置に近い方の前記聴取位置に側方定位効果が与えられるように音響信号の時間遅延を制御し、前記高域において、前記２つのスピーカまでの距離が等しい位置から遠い方の前記聴取位置に側方定位効果が与えられるように音響信号の時間遅延を制御することを特徴とする音像定位処理装置。
【請求項３】
入力された複数チャンネルの音響信号に基づいて聴取者の前方左右に配置された２つのスピーカを拡声させ、複数の前記聴取者の聴取位置は、前記２つのスピーカと対向して並んで配置され、前記２つのスピーカからの距離が略等しい位置に配置される前記聴取位置と、前記２つのスピーカからの距離が等しい位置から一方の前記スピーカにより近い位置に配置される前記聴取位置と他方の前記スピーカにより近い位置に配置される前記聴取位置を少なくとも一つずつ含んで構成され、複数の前記聴取者に対して音像を側方に定位させる音像定位処理装置であって、
一の前記聴取者の聴取位置に対して一方向から聴取させる音響信号の位相、および前記一の聴取者の聴取位置に対して他の一方向から聴取させる音響信号の位相、を制御して当該一の聴取者の側方に音像を定位させる信号処理手段と、
信号処理された音響信号および信号処理されていない音響信号を所定の周波数帯域毎に分割する帯域分割手段と、
前記分割された周波数帯域毎に前記各聴取者を割当て、他の前記聴取者の聴取位置に対して前記信号処理された前記音響信号の時間遅延を制御して当該他の聴取者の側方に音像を定位させる信号補正手段と、
を具備し、
前記帯域分割手段により分割される周波数帯域は、低域、中域、高域に分割され、
前記信号補正手段は、前記低域において、何れかのスピーカにおいて位相制御された音響信号を出力する場合には当該スピーカが出力する位相制御された音響信号に対応するチャンネルの音響信号に対して当該スピーカまでの距離がより遠い方の前記聴取位置に側方定位効果が与えられるように前記音響信号の時間遅延を制御し、
前記高域において、何れかのスピーカにおいて位相制御された音響信号を出力する場合には当該スピーカが出力する位相制御された音響信号に対応するチャンネルの音響信号に対して当該スピーカまでの距離がより近い方の前記聴取位置に側方定位効果が与えられるように前記音響信号の時間遅延を制御し、
前記中域において、前記２つのスピーカまでの距離が略等しい位置の前記聴取位置に対して側方定位効果が与えられるように音響信号の時間遅延を制御することを特徴とする音像定位処理装置。
【請求項４】
前記帯域分割手段により分割される周波数帯域は、前記２つのスピーカの設置位置と前記聴取者の前記聴取位置に基づいて算出される音圧ディップの生じない周波数を中心周波数として設定し、
前記周波数帯域において、前記右側聴取位置又は前記左側聴取位置に対して側方定位効果が与えられるように前記音響信号の時間遅延が前記信号補正手段により制御されることを特徴とする請求項３に記載の音像定位処理装置。
【請求項５】
入力された複数チャンネルの音響信号に基づいて聴取者の前方左右に配置された２つのスピーカを拡声させ、複数の前記聴取者の聴取位置は、前記２つのスピーカと対向して並んで配置され、前記２つのスピーカからの距離が等しい位置から一方の前記スピーカにより近い位置に配置される前記聴取位置と他方の前記スピーカにより近い位置に配置される前記聴取位置を少なくとも一つずつ含んで構成され、複数の前記聴取者に対して音像を側方に定位させる音像定位処理方法であって、
一の前記聴取者の聴取位置に対して一方向から聴取させる音響信号の位相、および前記一の聴取者の聴取位置に対して他の一方向から聴取させる音響信号の位相、を制御して当該一の聴取者の側方に音像を定位させる信号処理工程と、
信号処理された音響信号および信号処理されていない音響信号を所定の周波数帯域毎に分割する帯域分割工程と、
前記分割された周波数帯域毎に前記各聴取者を割当て、他の前記聴取者の聴取位置に対して前記信号処理された前記音響信号の時間遅延を制御して当該他の聴取者の側方に音像を定位させる信号補正工程と、
を具備し、
前記帯域分割工程により分割される周波数帯域は、少なくとも低域、高域に分割され、
前記信号補正工程において、前記低域において、何れかのスピーカにおいて位相制御された音響信号を出力する場合には当該スピーカが出力する位相制御された音響信号に対応するチャンネルの音響信号に対して当該スピーカまでの距離がより遠い方の前記聴取位置に側方定位効果が与えられるように前記音響信号の時間遅延を制御し、前記高域において、何れかのスピーカにおいて位相制御された音響信号を出力する場合には当該スピーカが出力する位相制御された音響信号に対応するチャンネルの音響信号に対して当該スピーカまでの距離がより近い方の前記聴取位置に側方定位効果が与えられるように前記音響信号の時間遅延を制御することを特徴とする音像定位処理方法。
【請求項６】
入力された複数チャンネルの音響信号に基づいて聴取者の前方左右に配置された２つのスピーカを拡声させ、複数の前記聴取者の聴取位置は、前記２つのスピーカと対向して並んで配置され、前記２つのスピーカからの距離が等しい位置から一方の前記スピーカにより近い位置に配置される前記聴取位置と他方の前記スピーカにより近い位置に配置される前記聴取位置を少なくとも一つずつ含んで構成され、複数の前記聴取者に対して音像を側方に定位させる音像定位処理装置に含まれるコンピュータを、
一の前記聴取者の聴取位置に対して一方向から聴取させる音響信号の位相、および前記一の聴取者の聴取位置に対して他の一方向から聴取させる音響信号の位相、を制御して当該一の聴取者の側方に音像を定位させる信号処理手段と、
信号処理された音響信号および信号処理されていない音響信号を所定の周波数帯域毎に分割する帯域分割手段、
前記分割された周波数帯域毎に前記各聴取者を割当て、他の前記聴取者の聴取位置に対して前記信号処理された前記音響信号の時間遅延を制御して当該他の聴取者の側方に音像を定位させる信号補正手段、
として機能させ、
前記帯域分割手段により分割される周波数帯域は、少なくとも低域、高域に分割され、
前記信号補正手段は、前記低域において、何れかのスピーカにおいて位相制御された音響信号を出力する場合には当該スピーカが出力する位相制御された音響信号に対応するチャンネルの音響信号に対して当該スピーカまでの距離がより遠い方の前記聴取位置に側方定位効果が与えられるように前記音響信号の時間遅延を制御し、前記高域において、何れかのスピーカにおいて位相制御された音響信号を出力する場合には当該スピーカが出力する位相制御された音響信号に対応するチャンネルの音響信号に対して当該スピーカまでの距離がより近い方の前記聴取位置に側方定位効果が与えられるように前記音響信号の時間遅延を制御するように機能させることを特徴とする音像定位処理プログラム。
【手続補正２】
【補正対象書類名】明細書
【補正対象項目名】０００９
【補正方法】変更
【補正の内容】
【０００９】
上記課題を解決するために、請求項１に記載の音像定位処理装置（１００）は、入力された複数チャンネルの音響信号に基づいて聴取者の前方左右に配置された２つのスピーカを拡声させ、複数の前記聴取者の聴取位置は、前記２つのスピーカと対向して並んで配置され、前記２つのスピーカからの距離が等しい位置から一方の前記スピーカにより近い位置に配置される前記聴取位置と他方の前記スピーカにより近い位置に配置される前記聴取位置を少なくとも一つずつ含んで構成され、複数の前記聴取者に対して音像を側方に定位させる音像定位処理装置であって、一の前記聴取者の聴取位置に対して一方向から聴取させる音響信号の位相、および前記一の聴取者の聴取位置に対して他の一方向から聴取させる音響信号の位相、を制御して当該一の聴取者の側方に音像を定位させる信号処理手段と、信号処理された音響信号および信号処理されていない音響信号を所定の周波数帯域毎に分割する帯域分割手段と、前記分割された周波数帯域毎に前記各聴取者を割当て、他の前記聴取者の聴取位置に対して前記信号処理された前記音響信号の時間遅延を制御して当該他の聴取者の側方に音像を定位させる信号補正手段と、を具備し、前記帯域分割手段により分割される周波数帯域は、少なくとも低域、高域に分割され、前記信号補正手段は、前記低域において、何れかのスピーカにおいて位相制御された音響信号を出力する場合には当該スピーカが出力する位相制御された音響信号に対応するチャンネルの音響信号に対して当該スピーカまでの距離がより遠い方の前記聴取位置に側方定位効果が与えられるように前記音響信号の時間遅延を制御し、前記高域において、何れかのスピーカにおいて位相制御された音響信号を出力する場合には当該スピーカが出力する位相制御された音響信号に対応するチャンネルの音響信号に対して当該スピーカまでの距離がより近い方の前記聴取位置に側方定位効果が与えられるように前記音響信号の時間遅延を制御することを特徴とする。
【手続補正３】
【補正対象書類名】明細書
【補正対象項目名】００１０
【補正方法】変更
【補正の内容】
【００１０】
上記課題を解決するために、請求項５に記載の音像定位処理方法は、入力された複数チャンネルの音響信号に基づいて聴取者の前方左右に配置された２つのスピーカを拡声させ、複数の前記聴取者の聴取位置は、前記２つのスピーカと対向して並んで配置され、前記２つのスピーカからの距離が等しい位置から一方の前記スピーカにより近い位置に配置される前記聴取位置と他方の前記スピーカにより近い位置に配置される前記聴取位置を少なくとも一つずつ含んで構成され、複数の前記聴取者に対して音像を側方に定位させる音像定位処理方法であって、一の前記聴取者の聴取位置に対して一方向から聴取させる音響信号の位相、および前記一の聴取者の聴取位置に対して他の一方向から聴取させる音響信号の位相、を制御して当該一の聴取者の側方に音像を定位させる信号処理工程と、信号処理された音響信号および信号処理されていない音響信号を所定の周波数帯域毎に分割する帯域分割工程と、前記分割された周波数帯域毎に前記各聴取者を割当て、他の前記聴取者の聴取位置に対して前記信号処理された前記音響信号の時間遅延を制御して当該他の聴取者の側方に音像を定位させる信号補正工程と、を具備し、前記帯域分割工程により分割される周波数帯域は、少なくとも低域、高域に分割され、前記信号補正工程において、前記低域において、何れかのスピーカにおいて位相制御された音響信号を出力する場合には当該スピーカが出力する位相制御された音響信号に対応するチャンネルの音響信号に対して当該スピーカまでの距離がより遠い方の前記聴取位置に側方定位効果が与えられるように前記音響信号の時間遅延を制御し、前記高域において、何れかのスピーカにおいて位相制御された音響信号を出力する場合には当該スピーカが出力する位相制御された音響信号に対応するチャンネルの音響信号に対して当該スピーカまでの距離がより近い方の前記聴取位置に側方定位効果が与えられるように前記音響信号の時間遅延を制御することを特徴とする。
【手続補正４】
【補正対象書類名】明細書
【補正対象項目名】００１１
【補正方法】変更
【補正の内容】
【００１１】
上記課題を解決するために、請求項６に記載の音像定位処理プログラムは、入力された複数チャンネルの音響信号に基づいて聴取者の前方左右に配置された２つのスピーカを拡声させ、複数の前記聴取者の聴取位置は、前記２つのスピーカと対向して並んで配置され、前記２つのスピーカからの距離が等しい位置から一方の前記スピーカにより近い位置に配置される前記聴取位置と他方の前記スピーカにより近い位置に配置される前記聴取位置を少なくとも一つずつ含んで構成され、複数の前記聴取者に対して音像を側方に定位させる音像定位処理装置に含まれるコンピュータを、一の前記聴取者の聴取位置に対して一方向から聴取させる音響信号の位相、および前記一の聴取者の聴取位置に対して他の一方向から聴取させる音響信号の位相、を制御して当該一の聴取者の側方に音像を定位させる信号処理手段と、信号処理された音響信号および信号処理されていない音響信号を所定の周波数帯域毎に分割する帯域分割手段、前記分割された周波数帯域毎に前記各聴取者を割当て、他の前記聴取者の聴取位置に対して前記信号処理された前記音響信号の時間遅延を制御して当該他の聴取者の側方に音像を定位させる信号補正手段、として機能させ、前記帯域分割手段により分割される周波数帯域は、少なくとも低域、高域に分割され、前記信号補正手段は、前記低域において、何れかのスピーカにおいて位相制御された音響信号を出力する場合には当該スピーカが出力する位相制御された音響信号に対応するチャンネルの音響信号に対して当該スピーカまでの距離がより遠い方の前記聴取位置に側方定位効果が与えられるように前記音響信号の時間遅延を制御し、前記高域において、何れかのスピーカにおいて位相制御された音響信号を出力する場合には当該スピーカが出力する位相制御された音響信号に対応するチャンネルの音響信号に対して当該スピーカまでの距離がより近い方の前記聴取位置に側方定位効果が与えられるように前記音響信号の時間遅延を制御するように機能させることを特徴とする。